(57)【要約】【課題】自走せり上げ式の仮設ユニットの固定に使用するブラケットにおいて、落下防止機能をより確実に発揮すること。【解決手段】本体部１０に対し上下方向を回転軸方向として回転可能に取り付けられたアーム部４０と、アーム部４０を一方の回転方向に付勢する付勢体５０と、アーム部４０の先端に設けて下側に傾斜面６１を形成してあるゲート部６０と、を少なくとも具備し、ゲート部６０は、横材Ｂの通過場所を塞いでいる閉塞状態から、上昇する横材Ｂが傾斜面６１との接触によって付勢体５０による付勢を超えてアーム部４０を他方の回転方向に回転させて横材Ｂの上方への通過のみを許容する。【選択図】図１
2020133125.tif 000002
【特許請求の範囲】
【請求項１】
構造物の壁部外側に設置する自走せり上げ式の仮設ユニットの固定に使用するブラケットであって、
構造物に取り付ける、本体部と、
前記本体部の先端側に設け、仮設ユニットを構成する縦材を上下動可能に収容する、収容部と、
前記収容部に収容した状態の前記縦材を固定可能な、固定部と、
前記本体部に対し、上下方向を回転軸方向として回転可能に取り付けられた、アーム部と、
前記アーム部を一方の回転方向に付勢する、付勢体と、
前記アーム部の先端に設けて、下側に傾斜面を形成してある、ゲート部と、
を少なくとも具備し、
前記ゲート部は、
前記付勢体による付勢によって、仮設ユニットを構成する横材の通過場所を塞いでいる閉塞状態から、上昇する横材が前記傾斜面との接触によって前記付勢を超えてアーム部を他方の回転方向に回転させて前記横材の上方への通過のみを許容し、横材の通過後には前記閉塞状態に復帰して、前記横材の下方への通過を規制するよう動作することを特徴とする、
自走せり上げ式仮設ユニット用のブラケット。
【請求項２】
前記傾斜面を、湾曲面で形成してあることを特徴とする、
請求項１に記載の、自走せり上げ式仮設ユニット用のブラケット。
【請求項３】
前記本体部が、
上下に対向配置してある、一組のフランジを少なくとも有してなり、
前記アーム部が、前記フランジ間に収容される態様で取り付けられ、
前記回転軸を設けた箇所において、前記フランジとアーム部の間にワッシャを介設してあることを特徴とする、
請求項１または２に記載の、自走せり上げ式仮設ユニット用のブラケット。
【発明の詳細な説明】
【技術分野】
【０００１】
本発明は、主に、建設中の構造物の外側に設置して、仮設足場や、落下防止ネットなどの取り付け枠として機能する、自走式でせり上げ移動可能な仮設ユニットに用いるブラケットに関する。
【背景技術】
【０００２】
自走せり上げ式仮設ユニット（以下、単に「仮設ユニット」ともいう。）とは、構造物に取り付けたブラケットに固定可能に取り付けられ、構造物に設置した牽引手段によって上方に吊り上げることで、自走でのせり上げ動作を可能にしたユニットであり、構造物の建設工事等のための作業足場や、落下防止用のネットを取り付けるための取付枠として利用されることが多い。
【０００３】
この仮設ユニットの予期せぬ落下を防止するために、構造物に取り付けたブラケット側に落下防止機構を設けたものとして、以下の特許文献１に記載の発明が知られている。
特許文献１に記載の足場・養生ユニットでは、構造物に固定するブラケットに、フレーム側に設けたステーの通過する隙間の閉塞・解放が可能なレバーを設け、レバーの回転方向を規制することで、上から下へのステーの通過を防止している。
【先行技術文献】
【特許文献】
【０００４】
【特許文献１】特許第４０５８３８３号公報
【発明の概要】
【発明が解決しようとする課題】
【０００５】
しかし、特許文献１に記載の発明では、以下に記載する問題を有する。
（１）落下によってステーがレバーに衝突した場合、レバーの回転軸に大きな衝撃力が生じるため、回転軸の破損が懸念される。一度回転軸が破損してしまうと落下防止機能が失われてしまう。
【０００６】
そこで、本願発明は、落下防止機能をより確実に発揮することが可能な手段の提供を目的とする。
【課題を解決するための手段】
【０００７】
上記課題を解決すべくなされた本願の第１発明は、構造物の壁部外側に設置する自走せり上げ式の仮設ユニットの固定に使用するブラケットであって、構造物に取り付ける、本体部と、前記本体部の先端側に設け、仮設ユニットを構成する縦材を上下動可能に収容する、収容部と、前記収容部に収容した状態の前記縦材を固定可能な、固定部と、前記本体部に対し、上下方向を回転軸方向として回転可能に取り付けられた、アーム部と、前記アーム部を一方の回転方向に付勢する、付勢体と、前記アーム部の先端に設けて、下側に傾斜面を形成してある、ゲート部と、を少なくとも具備し、前記ゲート部は、前記付勢体による付勢によって、仮設ユニットを構成する横材の通過場所を塞いでいる閉塞状態から、上昇する横材が前記傾斜面との接触によって前記付勢を超えてアーム部を他方の回転方向に回転させて前記横材の上方への通過のみを許容し、横材の通過後には前記閉塞状態に復帰して、前記横材の下方への通過を規制するよう動作することを特徴とするものである。
また、本願の第２発明は、前記第１発明において、前記傾斜面を、湾曲面で形成してあることを特徴とするものである。
また、本願の第３発明は、前記第１発明または第２発明において、前記本体部が、上下に対向配置してある、一組のフランジを少なくとも有してなり、前記アーム部が、前記フランジ間に収容される態様で取り付けられ、前記回転軸を設けた箇所において、前記フランジとアーム部の間にワッシャを介設してあることを特徴とするものである。
【発明の効果】
【０００８】
本発明によれば、以下に記載する効果を奏する。
（１）アーム部の回転軸を上下方向としたため、アーム部の先端に設けて横材の通過箇所の解放・閉塞を担うゲート部に、上から横材が落下して衝突したとしても、回転軸の軸方向と略直交する方向に大きな衝撃力が生じにくく、回転軸の破損が生じにくい。
（２）横材が上から落下してゲート部に衝突する際に、アーム部が予期せず回転してゲート部を解放してしまうこともない。
（３）ゲート部の傾斜面を湾曲面にすることで、横材の上昇量当たりのアーム部の回転量を徐々に短くできる。したがって付勢方向とは逆方向への回転量が増加してきた際の付勢体の回転動作をより緩やかに行うことで、付勢体の破損などのおそれを抑制することができる。
（４）本体部を構成する一組のフランジ間にワッシャを介設させた状態でアーム部を回転可能に取り付けることで、アーム部とフランジとの接触によってアーム部の回転動作が滞るおそれを抑制できる。
【図面の簡単な説明】
【０００９】
【図１】実施例１に係るブラケットの概略斜視図。
【図２】本体部とアーム部との取付部周辺の側面概略図。
【図３】アーム部の旋回動作を示す側面平面図。
【図４】実施例２に係るブラケットのゲート部の形状を示す概略正面図。
【発明を実施するための形態】
【００１０】
以下、図面を参照しながら本発明の実施例について説明する。
【実施例１】
【００１１】
＜１＞全体構成
図１に、本発明に係るブラケットを構造物に設置して仮設ユニットを収容した状態を示す。
【００１２】
＜１．１＞仮設ユニット（図１）
仮設ユニットは、作業足場や取付枠などとして使用される部材である。
本実施例では、仮設ユニットが、上下方向を長手方向とする縦材Ａと、前後方向を長手方向とする横材Ｂを少なくとも有し、縦材Ａおよび横材Ｂ、およびその他の部材を適宜組み合わせて、足場や取付枠などの構造体を構成している。
仮設ユニットを上昇させる際には、構造物Ｘに設置したチェーンブロックなどを仮設ユニットの構成部材に係留して牽引動作を行う。
【００１３】
＜１．２＞ブラケット（図１）
ブラケットは、構造物Ｘに固定して、仮設ユニットを固定または解放自在に収容するための装置である。
ブラケットは、後端側を構造物Ｘに固定した状態とし、先端側では仮設ユニットを上下にスライド可能な状態で収容している。
本実施例では、ブラケットを、本体部１０、収容部２０、固定部３０、アーム部４０、付勢体５０およびゲート部６０を少なくとも具備する。
以下、各構成要素の詳細について説明する。
【００１４】
＜２＞本体部（図１）
本体部１０は、構造物Ｘに取り付けた状態で、先端を構造物Ｘの壁部から外側に張り出した状態とするための部材である。
本実施例では、本体部１０を、フランジ１１およびウェブ１２によって断面コ字状を呈する二つの長尺部材を有し、各長尺部材のウェブ１２を、所定間隔を空けた状態で対向するように両者を接合して一体化している。
本体部１０の後方には、アンカーボルト等の周知の固定手段で、構造物Ｘに取り付けるための取付部１３を有している。
【００１５】
＜３＞収容部（図１）
収容部２０は、仮設ユニットを構成する縦材Ａを上下動自在な状態で収容するための部材である。
本実施例では、本体部１０の上方から、ブラケットの先端側に向かって延伸するように配置したプレートの前面に、縦材Ａを両側から挟むように伸ばした板材でもって収容部２０を形成している。
【００１６】
＜４＞固定部（図１）
固定部３０は、収容部２０に収容した縦材Ａを固定して位置決めするための部材である。
本実施例では、前記収容部２０の直上の二箇所において前記プレートに着脱自在に取り付けてあるクランプが、それぞれ固定部３０を構成している。
クランプを締めることで縦材Ａがクランプに把持された状態となり、クランプを解放すれば縦材Ａは上下に移動可能な状態となる。
【００１７】
＜５＞アーム部（図１，２）
アーム部４０は、本体部１０に対し上下方向を回転軸４１として回転可能に構成することで、後述するゲート部６０の開閉を行うための部材である。
図２に、本体部１０とアーム部４０との取付部１３周辺の側面概略図を示す。
本実施例では、アーム部４０を断面コ字状を呈する長尺部材で構成しており、後端側を、上下方向を軸方向とする回転軸４１を介して本体部１０に回転可能に取り付けている。
このとき、アーム部４０の高さは、前記本体部１０を構成しているコ字状部材のフランジ１１間の距離よりも短い長さであり、前記フランジ１１およびアーム部４０にそれぞれ設けた挿通孔に、前記回転軸４１となるボルトを挿通してナット止めすることで、アーム部４０を本体部１０に回動可能な状態で取り付けている。
【００１８】
＜５．１＞ワッシャの介設
また、図２に示すように、本体部１０のフランジ１１と、アーム部４０の間の隙間にワッシャ４２を介設させておくと好ましい。これは、アーム部４０とフランジ１１との接触によってアーム部４０の回転動作が滞るおそれを抑制するためである。
【００１９】
＜６＞付勢体（図１）
付勢体５０は、アーム部４０の回転動作を、一方の回転方向側に付勢しておくための部材である。
付勢体５０は、弾性部材などの公知の部材を用いることができる。
本実施例では、付勢体５０を捻りコイルバネで構成し、捻りコイルバネを回転軸４１に差し込み、捻りコイルバネの一端を本体部１０と接する態様とし、他端をアーム部４０と接する態様とすることで、アーム部４０の回転動作を一方の回転方向側に付勢した状態としている。
【００２０】
＜７＞ゲート部（図１）
ゲート部６０は、アーム部４０の先端に設けて、アーム部４０の回転動作によって仮設ユニットを構成する横材Ｂの通過場所の閉塞・解放を行うための部材である。
本実施例では、アーム部４０の上辺から横方向に伸びて上面を平坦面とした上部材と、略直角三角形状を構成し、略直角を構成する二辺を、上部材の下端およびアーム部４０のウェブ１２と接続してある下部材でもって、ゲート部６０を構成している。
下部材を構成する三辺のうち解放してある一辺（斜辺）には、直線状の傾斜面６１を形成している。
【００２１】
＜８＞使用イメージ（図１，図３）
図３を参照しながら、本発明に係るブラケットの使用イメージについて説明する。
図３は、アーム部４０の旋回動作を示す側面平面図である。なお、図３では、アーム部４０、ゲート部６０および横材Ｂとの関係を説明するために図示を簡略化しており、収容部２０や固定部３０を図示していない。
固定部３０による固定を解放した状態で、構造物Ｘに取り付けたチェーンブロックなどで仮設ユニットのせり上げ動作を行う場合、収容部２０に収容した縦材Ａは、そのまま上方へとスライド移動する（図１）
せり上げ動作が進んでいくと、やがて横材Ｂがゲート部６０に接触し始める（図３（ａ））。
この状態で横材Ｂが上昇し続けると、横材Ｂの傾斜面６１との当接位置が上方にスライドするように、アーム部４０の付勢方向とは逆方向にアーム部４０が回転することとなり、その結果ゲート部６０が解放して横材Ｂの通過を許容するように動作する（図３（ｂ））。
横材Ｂの通過後は、付勢体５０によってアーム部４０が前記閉塞状態へと復帰するように回転する（図１，図３（ａ））。
この閉塞状態で、仮に仮設ユニットの落下が発生しても、ゲート部６０の上方に位置する横材Ｂがやがてゲート部６０に干渉するため、落下は停止する。
また、ゲート部６０の上から横材Ｂが衝突しても、ゲート部６０は解放動作に遷移しないことから、さらなる仮設ユニットの落下が発生することはない。
【００２２】
＜８．１＞アーム部の回転角度
なお、図３（ｂ）に示す、閉塞位置から前記横材Ｂの通過許容位置に至るまでの、アーム部４０の回転角度θは、３０°以内が好ましい。
これは、後述する付勢体５０によって一方の回転方向に付勢した状態のアーム部４０に対し、逆方向への回転角度が大きくなると、付勢体５０の破断等を引き起こす場合があるためである。
回転角度の調整は、ゲート部６０に対する回転軸４１の離隔距離でもって調整することができる。
【実施例２】
【００２３】
図４を参照しながら、本発明の第２実施例について説明する。
本発明に係るブラケットは、ゲート部６０に形成する傾斜面６１を湾曲面とすることができる。
本実施例では、傾斜面を外側にはらみ出す方向に湾曲させている。
本実施例によれば、横材Ｂの上昇量当たりのアーム部４０の回転量を徐々に短くすることができる。
すなわち、横材Ｂが傾斜面に接触する初期段階では、付勢体５０として用いる捻りコイルバネの逆方向への捻り量がまだ少なく余裕があるため、横材Ｂの僅かな上昇で、大きくアーム部４０が回転するよう構成しておき、横材Ｂが通過する最終段階では、捻りコイルバネの捻り量がすでに増加しており余裕が少なくなるため、横材Ｂの上昇量当たりのアーム部４０の回転量を小さくしてゆっくりと捻り動作を行うように機能するため、捻りコイルバネの負担を軽くして破損のおそれを抑制することができる。
【符号の説明】
【００２４】
１０  本体部
１１  フランジ
１２  ウェブ
１３  取付部
２０  収容部
３０  固定部
４０  アーム部
４１  回転軸
４２  ワッシャ
５０  付勢体
６０  ゲート部
６１  傾斜面
Ａ    縦材
Ｂ    横材
Ｘ    構造物
【図１】
2020133125.tif 000003
【図２】
2020133125.tif 000004
【図３】
2020133125.tif 000005
【図４】
2020133125.tif 000006